(57)【要約】【課題】ＣＡＤシステムで作成された電力系統の設計図を電力系統解析データ作成可能なデータに変換し、電力系統解析データを効率的に作成できるようにすることである。【解決手段】電力系統を構成する設備の物理的な配置を表す設計図のＣＡＤ図面を入力処理手段２７で入力し、属性付ＣＡＤ図面作成手段３５は、入力したＣＡＤ図面データに設備の電気的な属性データを付与して属性付ＣＡＤ図面を作成する。規格フォーマット変換手段３７は、属性付ＣＡＤ図面作成手段３５で作成された属性付ＣＡＤ図面データを所定の規格フォーマットに変換し、その所定の規格フォーマットの属性付ＣＡＤ図面データを出力処理手段３９にて出力する。【選択図】  図１
2009213237.tif 000002
【特許請求の範囲】
【請求項１】
電力系統を構成する設備の物理的な配置を表す設計図のＣＡＤ図面を入力する入力処理手段と、前記入力処理手段で入力されたＣＡＤ図面データに前記設備の電気的な属性データを付与して属性付ＣＡＤ図面を作成する属性付ＣＡＤ図面作成手段と、前記属性付ＣＡＤ図面作成手段で作成された属性付ＣＡＤ図面データを所定の規格フォーマットに変換する規格フォーマット変換手段と、前記規格フォーマット変換手段で変換された所定の規格フォーマットの属性付ＣＡＤ図面データを出力する出力処理手段とを備えたことを特徴とする電力系統データ変換装置。
【請求項２】
前記所定の規格フォーマットは、ＲＤＦであることを特徴とする請求項１記載の電力系統データ変換装置。
【請求項３】
請求項１または請求項２に記載の電力系統データ変換装置で得られた所定の規格フォーマットの属性付ＣＡＤ図面データを入力する入力処理手段と、前記入力処理手段で入力された所定の規格フォーマットの属性付ＣＡＤ図面データのうち電力系統の解析に必要なデータを抽出して電力系統の解析図面を作成する解析図面作成手段と、前記解析図面作成手段で作成された解析図面に基づき電力系統の解析を行う解析手段と、前記解析手段で得られた電力系統の解析結果を出力する出力処理手段とを備えたことを特徴とする電力系統解析装置。
【請求項４】
電力系統を構成する設備の物理的な配置を表す設計図のＣＡＤ図面を入力する入力処理手段と、前記入力処理手段で入力されたＣＡＤ図面データに前記設備の電気的な属性データを付与して属性付ＣＡＤ図面を作成する属性付ＣＡＤ図面作成手段と、前記属性付ＣＡＤ図面作成手段で作成された属性付ＣＡＤ図面データを所定の規格フォーマットに変換する規格フォーマット変換手段と、前記規格フォーマット変換手段で変換された所定の規格フォーマットの属性付ＣＡＤ図面データのうち電力系統の解析に必要なデータを抽出して電力系統の解析図面を作成する解析図面作成手段と、前記解析図面作成手段で作成された解析図面に基づき電力系統の解析を行う解析手段と、前記解析手段で得られた電力系統の解析結果を出力する出力処理手段とを備えたことを特徴とする電力系統解析装置。
【発明の詳細な説明】
【技術分野】
【０００１】
本発明は、電力系統の構成データや電気的データを電力系統の解析に適した電力系統データに変換する電力系統データ変換装置及び解析装置に関する。
【背景技術】
【０００２】
電力系統を解析するにあたっては、電力系統の解析に必要な電力系統解析データを作成して電力系統解析装置に入力し、電力系統解析装置により解析を行うようにしている。電力系統解析データの作成は、例えば、電力系統の電気設備の設計図であるＣＡＤ図面を参照しながら、技術者がＣＡＤ図面に描かれた電力系統図の設備や接続状態を１つ１つ確認することによって電力系統解析データを作成している。
【０００３】
図７は、従来の電力系統解析データの作成についての説明図である。ＣＡＤシステム１１は、電力系統の設計図を作成するものであり、例えば、送電線、変電所、開閉所等の電気設備の設計図を作成する。そして、作成した図面を設計図として管理している。従って、ＣＡＤシステム１１で作成された設計図は、そのまま電力系統の解析用に用いることができない。
【０００４】
そこで、ＣＡＤシステム１１で作成された電力系統の設計図を印刷して紙ベースの設計図１２を用意し、専門技術者がその紙ベースの設計図１２や電力の流れを示す潮流図を詳細に確認して、各電力系統解析アプリケーションごとに定められたフォーマットの電力系統解析データ１３を作成していた。電力系統解析データ１３としては、潮流計算データ、短絡地絡電流計算データ、安定度計算データ、ＥＭＴＰ（Electro-Magnetic Transients Program）データなどである。そして、作成した電力系統解析データ１３を電力系統解析装置１４に入力し、電力系統解析装置１４の電力系統解析アプリケーションにて電力系統の解析を行っていた。
【０００５】
ここで、電力系統の解析業務や計画業務において使用する電力系統図を作成するものとして、ノードとブランチの位置情報を含むようにして地理的な意味をもつ電力系統図を作成できるようにしたものがある（例えば、特許文献１参照）。
【特許文献１】特開平８−２１４４５７号公報
【発明の開示】
【発明が解決しようとする課題】
【０００６】
しかし、特許文献１のものでは地理的な意味をもつ電力系統図を作成できるが、電力系統の解析に必要な電力系統解析データは、相変わらず電力系統図を参照しながら技術者が作成しなければならない。
【０００７】
現状では、電力系統解析データの作成作業は、電力系統解析のノウハウを熟知した熟練技術者が行っており、個人の能力に依存する部分が大きいので、それらの専門技術やノウハウの継承が難しい面がある。また、作成した電力系統解析データの確認や検証作業にかかる労力や時間が膨大であり作業の効率化を図ることが困難である。さらに、ＣＡＤシステムにより作成された電力系統の設計図の電子データは、電力系統解析用データとは異機種のシステムで作成されたデータであり、それぞれ別の管理箇所で全く異なる形態で管理されているため、データの収集や更新等に労力がかかり非効率的である。
【０００８】
このように、従来においては、熟練した専門技術者が個々の業務経験に基づいて、個別に管理されている設計図や潮流図を一つ一つ確認しながら、電力系統解析データを作成している。
【０００９】
本発明の目的は、ＣＡＤシステムで作成された電力系統の設計図を電力系統解析データの作成可能なデータに変換する電力系統データ変換装置及び電力系統解析データを効率的に作成できる電力系統解析装置を提供することである。
【課題を解決するための手段】
【００１０】
請求項１の発明に係わる電力系統データ変換装置は、電力系統を構成する設備の物理的な配置を表す設計図のＣＡＤ図面を入力する入力処理手段と、前記入力処理手段で入力されたＣＡＤ図面データに前記設備の電気的な属性データを付与して属性付ＣＡＤ図面を作成する属性付ＣＡＤ図面作成手段と、前記属性付ＣＡＤ図面作成手段で作成された属性付ＣＡＤ図面データを所定の規格フォーマットに変換する規格フォーマット変換手段と、前記規格フォーマット変換手段で変換された所定の規格フォーマットの属性付ＣＡＤ図面データを出力する出力処理手段とを備えたことを特徴とする電力系統データ変換装置。
【００１１】
請求項２の発明に係わる電力系統データ変換装置は、請求項１の発明において、前記所定の規格フォーマットは、ＲＤＦであることを特徴とする。ＲＤＦ(Resource Description Framework)とは、メタ情報(各種データの意味をコンピュータに認識させるための情報)を記述するためのフォーマットをいう。
【００１２】
請求項３の発明に係わる電力系統データ変換装置は、請求項１または請求項２に記載の電力系統データ変換装置で得られた所定の規格フォーマットの属性付ＣＡＤ図面データを入力する入力処理手段と、前記入力処理手段で入力された所定の規格フォーマットの属性付ＣＡＤ図面データのうち電力系統の解析に必要なデータを抽出して電力系統の解析図面を作成する解析図面作成手段と、前記解析図面作成手段で作成された解析図面に基づき電力系統の解析を行う解析手段と、前記解析手段で得られた電力系統の解析結果を出力する出力処理手段とを備えたことを特徴とする。
【００１３】
請求項４の発明に係わる電力系統データ変換装置は、電力系統を構成する設備の物理的な配置を表す設計図のＣＡＤ図面を入力する入力処理手段と、前記入力処理手段で入力されたＣＡＤ図面データに前記設備の電気的な属性データを付与して属性付ＣＡＤ図面を作成する属性付ＣＡＤ図面作成手段と、前記属性付ＣＡＤ図面作成手段で作成された属性付ＣＡＤ図面データを所定の規格フォーマットに変換する規格フォーマット変換手段と、前記規格フォーマット変換手段で変換された所定の規格フォーマットの属性付ＣＡＤ図面データのうち電力系統の解析に必要なデータを抽出して電力系統の解析図面を作成する解析図面作成手段と、前記解析図面作成手段で作成された解析図面に基づき電力系統の解析を行う解析手段と、前記解析手段で得られた電力系統の解析結果を出力する出力処理手段とを備えたことを特徴とする。
【発明の効果】
【００１４】
本発明によれば、電力系統を構成する設備の物理的な配置を表す設計図のＣＡＤ図面データに設備の電気的な属性データを付与して属性付ＣＡＤ図面を作成するので、電力系統解析データや設備管理データを作成する際に必要な電気的な属性データが含まれた電力系統図データを得ることができる。また、属性付ＣＡＤ図面データを所定の規格フォーマットに変換するので、ＣＡＤシステムだけでなく電力系統解析装置や電力設備管理装置においても取り扱うことができる。
【００１５】
所定の規格フォーマットとしては、メタ情報(各種データの意味をコンピュータに認識させるための情報)を記述するためのフォーマットであるＲＤＦ(Resource Description Framework)を用いるので、複雑なネットワーク構造を柔軟に表現でき、電気的な属性データの追加や拡張が容易に行える。
【００１６】
また、電力系統データ変換装置で変換されたデータは、ＣＡＤシステムだけでなく電力系統解析装置においても取り扱うことができるので、そのデータを電力系統解析装置に入力することにより容易に電力系統を解析できる。
【００１７】
また、電力系統データ変換装置の機能を電力系統解析装置に組み込んだ場合には、ＣＡＤ図面を基に容易に電力系統解析データを作成することができ、さらに電力系統を容易に解析できる。これにより、電力系統解析データ作成の効率化を図ることができ、電力系統データ作成の際の人為ミスを削減でき、ＣＡＤシステムのデータとの共有化が図れる。
【発明を実施するための最良の形態】
【００１８】
図１は本発明の実施の形態に係わる電力系統データ変換装置の一例を示すブロック構成図である。電力系統データ変換装置１５は、一般的なコンピュータやパーソナルコンピュータなどにソフトウェアプログラムがインストールされ、そのソフトウェアプログラムが演算制御装置１６において実行され、その演算結果を記憶装置１７に記憶することにより実現される。
【００１９】
演算制御装置１６は電力系統データ変換処理に関する各種演算を行うものであり、演算制御装置１６の演算結果等は記憶装置１７に記憶されるとともに出力装置１８に出力される。出力装置１８は、例えば、演算制御装置１６の演算結果を表示出力する表示装置１９、印刷出力する印刷装置２０、各種記憶媒体に書き込み出力するデータ書込装置２１、通信ネットワークに出力する通信装置２２等である。
【００２０】
また、電力系統データ変換装置１５にはデータを入力する入力装置２３が接続されている。入力装置２３は、例えば、各種のデータや操作指令を入力するキーボード２４、各種記録媒体のデータを読み込むデータ読込装置２５、通信ネットワークからデータを入力する通信装置２６等であり、電力系統を構成する設備の物理的な配置を表す設計図のＣＡＤ図面データが入力される。
【００２１】
電力系統データ変換装置１５の入力処理手段２７は、入力装置２３から入力された電力系統を構成する設備の物理的な配置を表す設計図のＣＡＤ図面データを記憶装置１７のＣＡＤ図面データ記憶部２８に記憶する。ＣＡＤ図面データ記憶部２８に記憶されたＣＡＤ図面データは、送電線、変電所、開閉所等の電気設備の設計図であり、電気設備の物理的な配置を表すデータであり、電気回路的なデータは含まれていない。
【００２２】
図２は電力系統データ変換装置１５に読み込まれるＣＡＤ図面データの一例を示す説明図である。図２は変電所の設計図面のＣＡＤ図面データであり、実際の電気設備の物理的な配置の通りに記載された複線結線図である。図２の上部は図示省略の送電線に接続され、図２の下部は図示省略の変圧器に接続される場合を示している。送電線に接続される３相の接続線３０ａの各相に断路器３１ａが配置され、三相の接続線３０ａには計器用変成器３２が配置されている。また、三相の接続線３０ａはそれぞれ３相の母線３３に接続され、３相の母線３３には３相の接続線３０ｂ、３０ｃが接続されている。３相の接続線３０ｂ、３０ｃには、断路器３１ｂ、３１ｃ及び遮断器３４ｂ、３４ｃが配置されている。
【００２３】
属性付ＣＡＤ図面データ作成手段３５は、例えば、入力装置２３のキーボード２４からの指令により起動され、ＣＡＤ図面データ記憶部２８に記憶されたＣＡＤ図面データを読み出し、電気設備の物理的な配置を表すＣＡＤ図面データに電気設備の電気的な属性データを付与して属性付ＣＡＤ図面を作成する。属性付ＣＡＤ図面は、電気設備の物理的な配置を表すＣＡＤ図面を電気回路にモデリングした図面であり、例えば、電気回路の接続点を属性として付与し、形成される電気回路が分かるようにした図面である。
【００２４】
図３は属性付ＣＡＤ図面の一例を示す説明図である。電気設備の物理的な配置を表すＣＡＤ図面に対して、電気回路の接続点が属性として付与される。すなわち、電気設備である断路器３１ａ、３１ｂ、３１ｃ、母線３３、遮断器３４ｂ、３４ｃに電気的な属性データが付与される。例えば、断路器３１ａは接続線３０ａを送電線に接続するための開閉器であり、ＬＳという符号が付されている。また、断路器３１ｂ、３１ｃは接続線３０ｂ、３０ｃを送電線に接続するための開閉器であり、ＬＳ０１、ＬＳ０２という符号が付されている。遮断器３４ｂ、３４ｃは接続線３０ｂ、３０ｃを変圧器に接続するための開閉器であり、ＣＢＯ１、ＣＢＯ２という符号が付されている。また、母線３３にはBusLineという符号が付されている。これにより、接続線３０ａは送電線と母線３３とを接続する回路を形成し、接続線３０ｂ、３０ｃは母線３３と変圧器とを接続する回路を形成する旨の電気的な属性データが付与されることになる。
【００２５】
このようにして、属性付ＣＡＤ図面作成手段３５で作成された属性付ＣＡＤ図面データは、記憶装置１７の属性付ＣＡＤ図面データ記憶部３６に記憶される。規格フォーマット作成手段３７は、属性付ＣＡＤ図面データ記憶部３６に記憶された属性付ＣＡＤ図面データを所定の規格フォーマットに変換する。所定の規格フォーマットとしては、ＣＡＤシステム１１以外のシステムにおいても汎用的に使用できるＲＤＦあるいはＸＭＬ（Extensible Markup Language）等のマークアップ言語を用いる。
【００２６】
規格フォーマット変換手段３７で変換された所定の規格フォーマットの属性付ＣＡＤ図面データは記憶装置１７の変換データ記憶部３８に記憶される。出力処理手段３９は、例えば、入力装置２３のキーボード２４からの指令により、記憶装置１７のＣＡＤ図面データ記憶部２８に記憶されたＣＡＤ図面データ、属性付ＣＡＤ図面データ記憶部３６に記憶された属性付ＣＡＤ図面データ、変換データ記憶部３８に記憶された所定の規格フォーマットの属性付ＣＡＤ図面データを出力装置１８に出力する。これにより、所定の規格フォーマットの属性付ＣＡＤ図面データだけでなく、ＣＡＤ図面データや属性付ＣＡＤ図面データも確認できる。
【００２７】
ここで、所定の規格フォーマットとしてのＲＤＦについて説明する。ＲＤＦとは、メタ情報を記述するためのフォーマットである。メタ情報とは、Ｗｅｂページなど各種データの意味をコンピュータに認識させるための情報であり、メタデータ（metadata）、すなわち、あるデータが付随して持つそのデータ自身についての抽象度の高い付加的なデータである。ＲＤＦの仕様はＷ３Ｇで定められ、Ｗ３０が提唱する次世代Ｗｅｂ「セマンティックＷｅｂ」の中核技術に位置づけられている。
【００２８】
ＲＤＦは、データモデル(構造)とシンタックス(構文)が分離されているところに特徴がある。すなわち、ＲＤＦはデータの意味を記述する方法(データモデル)を定義しており、実装(構文)はＸＭＬ構文によって書かれることが一般的であるが、その他に、「Notatlon3」、「TURTLE」といった構文に従った書き方もある。ＸＭＬによってＲＤＦを表現するための構文をＲＤＦ／ＸＭＬという。
【００２９】
ＲＤＦのデータモデルは、主語Ｓリソース)、述語Ｖ(プロパティ)、目的語Ｏ(プロパティの値)という３つの要素(トリプル)で表現する。トリプルとは、「ＳＶＯの関係を表すステートメント(文)」を表し、トリプルの集合はＲＤＦのグラフと呼ぶ。ＲＤＦではこれらの関係を有向ラベル付グラフを用いて表現し、実装としては前述のＲＤＦ／ＸＭＬ等がある。
【００３０】
ＲＤＦの特徴としては以下のものが挙げられる。ＲＤＦはもともとネットワーク構造を記述するために考えられたものであり、ネットワーク構造を表現するのに適している。単純なＳＶＯ文法(トリプル)により意味が一意にきまる。また、トリプルをつなげることにより複雑なネットワーク構造を表現できる。
【００３１】
必ずルートノードを基点としたシリー構造にしなければならないＸＭＬと違って、ＲＤＦはトリプルを基本構造とした有向グラフ、つまり、ネワトワーク構造になっており、縦の関係だけしか表せない(縦の構造にしないといけない)ＸＭＬに対し、ＲＤＦでは横の関係も表せ構造的な制約を受けないので、柔軟性が高い。ＸＭＬのようにルートノードを基点としたツリー構造にする必要がなく、追加情報は異なるルートノードに記述すればパース時に自動的にマージしてくれるので、情報の追加や拡張が容易である。
【００３２】
本発明の実施の形態に係わる電力系統データ変換装置によれば、電力系統を構成する設備の物理的な配置を表す設計図のＣＡＤ図面データに設備の電気的な属性データを付与して属性付ＣＡＤ図面を作成するので、ＣＡＤ図面を有効に利用しつつ、電力系統解析データや設備管理データを作成する際に必要な電気的な属性データを含んだ電力系統図データを得ることができる。また、その電気的な属性データを含んだ電力系統図データを、ＣＡＤシステムだけでなく電力系統解析装置や電力設備管理装置においても取り扱うことができる所定の規格フォーマットに変換するので、電気的な属性データを含んだ電力系統図データを汎用的に有効利用できる。
【００３３】
図４は本発明の実施の形態に係わる電力系統解析装置の一例を示すブロック構成図である。電力系統解析装置４０は、図１に示した電力系統データ変換装置１５で得られた所定の規格フォーマットの属性付ＣＡＤ図面データが入力され、電力系統の解析を行うものである。
【００３４】
電力系統解析装置４０は、電力系統データ変換装置１５と同様に、一般的なコンピュータやパーソナルコンピュータなどにソフトウェアプログラムがインストールされ、そのソフトウェアプログラムが演算制御装置１６において実行され、その演算結果を記憶装置１７に記憶することにより実現される。
【００３５】
演算制御装置１６は電力系統解析処理に関する各種演算を行うものであり、演算制御装置１６の演算結果等は記憶装置１７に記憶されるとともに出力装置１８に出力される。出力装置１８は、例えば、演算制御装置１６の演算結果を表示出力する表示装置１９、印刷出力する印刷装置２０、各種記憶媒体に書き込み出力するデータ書込装置２１、通信ネットワークに出力する通信装置２２等である。
【００３６】
また、電力系統解析装置４０にはデータを入力する入力装置２３が接続されている。入力装置２３は、例えば、各種のデータや操作指令を入力するキーボード２４、各種記録媒体のデータを読み込むデータ読込装置２５、通信ネットワークからデータを入力する通信装置２６等であり、図１に示した電力系統データ変換装置１５で得られた所定の規格フォーマットの属性付ＣＡＤ図面データが入力される。
【００３７】
電力系統解析装置４０の入力処理手段４１は、入力装置２３から入力された所定の規格フォーマットの属性付ＣＡＤ図面データを記憶装置１７の入力データ記憶部４２に記憶する。入力データ記憶部４２に記憶に記憶された所定の規格フォーマットの属性付ＣＡＤ図面データは、電力系統解析データや設備管理データを作成する際に必要な電気的な属性データを含んだ電力系統図データであり、所定の規格フォーマット（例えばＲＤＦ）で記述されたデータであるので、電力系統解析装置４０においても取り扱うことができるデータである。
【００３８】
解析図面作成手段４３は、例えば、入力装置２３のキーボード２４からの指令により起動され、入力データ記憶部４２に記憶された所定の規格フォーマットの属性付ＣＡＤ図面データを読み出し、その所定の規格フォーマットの属性付ＣＡＤ図面データのうち電力系統の解析に必要なデータを抽出して電力系統の解析図面を作成する。例えば、属性付ＣＡＤ図面データには電気設備の物理的な配置位置や大きさも情報に含まれるが、潮流計算や短絡地絡電流計算には電気設備の物理的な配置位置や大きさは必要がなく、また計器用変成器も必要がない。一方、電力系統の回路構成に関する情報は必要であるので、必要なデータのみを抽出し電力系統解析を行うに必要な解析図面を作成する。
【００３９】
図５は電力系統解析装置４０の解析図面作成手段４３で作成された解析図面データの一例を示す説明図である。属性付ＣＡＤ図面データは複線結線図で表されているが、電力系統の解析を行う場合には単線結線図で十分であるので、解析図面作成手段４３は解析図面を作成するに当たり単線結線図に変換する。その際、複線結線図と単線結線図とでは、同じオブジェクトやその接続関係の図面表現が異なるので、その表現も単線結線図用のデータに置き換える。図５では、図３に示した属性付ＣＡＤ図面を所定の規格フォーマットに変換し、解析図面に変換した場合を示している。解析図面作成手段４３で作成された解析図面データは、記憶装置１７の解析図面データ記憶部４４に記憶される。
【００４０】
解析手段４５は、記憶装置１７の解析図面データ記憶部４４に記憶された解析データを読み出し、潮流計算や短絡地絡電流計算等の電力系統の解析を行い、その解析結果データを記憶装置１７の解析結果記憶部４６に記憶する。出力処理手段４７は、例えば、入力装置２３のキーボード２４からの指令により、記憶装置１７の入力データ記憶部４２に記憶された所定の規格フォーマットの属性付ＣＡＤ図面データ、解析図面データ記憶部４４に記憶された解析図面データ、解析結果記憶部４６に記憶された解析結果データを出力装置１８に出力する。これにより、解析結果データだけでなく、所定の規格フォーマットの属性付ＣＡＤ図面データや解析図面データも確認できる。
【００４１】
図１に示した電力系統データ変換装置１５で変換された規格フォーマットの属性付ＣＡＤ図面データは、ＣＡＤシステムだけでなく電力系統解析装置４０においても取り扱うことができるので、そのデータを電力系統解析装置４０に入力することにより容易に電力系統を解析できる。
【００４２】
図６は本発明の実施の形態に係わる電力系統解析装置の他の一例を示すブロック構成図である。この電力系統解析装置４０は、図４に示した電力系統解析装置４０に対し、図１に示した電力系統データ変換装置１５の機能を電力系統解析装置４０に組み込んだものである。図１及び図４に示した要素と同一要素には同一符号を付し重複する説明は省略する。
【００４３】
図６に示すように、電力系統解析装置４０の入力処理手段２７は、入力装置２３から入力された電力系統を構成する設備の物理的な配置を表す設計図のＣＡＤ図面データを記憶装置１７のＣＡＤ図面データ記憶部２８に記憶する。属性付ＣＡＤ図面データ作成手段３５は、例えば、入力装置２３のキーボード２４からの指令により起動され、ＣＡＤ図面データ記憶部２８に記憶されたＣＡＤ図面データを読み出し、電気設備の物理的な配置を表すＣＡＤ図面データに電気設備の電気的な属性データを付与して属性付ＣＡＤ図面を作成し、記憶装置１７の属性付ＣＡＤ図面データ記憶部３６に記憶する。そして、規格フォーマット作成手段３７は、属性付ＣＡＤ図面データ記憶部３６に記憶された属性付ＣＡＤ図面データを所定の規格フォーマットに変換し、変換した所定の規格フォーマットの属性付ＣＡＤ図面データを記憶装置１７の変換データ記憶部３８に記憶する。
【００４４】
そして、解析図面作成手段４３は、例えば、入力装置２３のキーボード２４からの指令により起動され、入力データ記憶部４２に記憶された所定の規格フォーマットの属性付ＣＡＤ図面データを読み出し、その所定の規格フォーマットの属性付ＣＡＤ図面データのうち電力系統の解析に必要なデータを抽出して電力系統の解析図面を作成し、記憶装置１７の解析図面データ記憶部４４に記憶する。解析手段４５は、記憶装置１７の解析図面データ記憶部４４に記憶された解析データを読み出し、潮流計算や短絡地絡電流計算等の電力系統の解析を行い、その解析結果データを記憶装置１７の解析結果記憶部４６に記憶する。
【００４５】
また、出力処理手段４７は、例えば、入力装置２３のキーボード２４からの指令により、記憶装置１７のＣＡＤ図面データ記憶部２８に記憶されたＣＡＤ図面データ、属性付ＣＡＤ図面データ記憶部３６に記憶された属性付ＣＡＤ図面データ、変換データ記憶部３８に記憶された所定の規格フォーマットの属性付ＣＡＤ図面データ、解析図面データ記憶部４４に記憶された解析図面データ、解析結果記憶部４６に記憶された解析結果データを出力装置１８に出力する。これにより、解析結果データだけでなく、ＣＡＤ図面データ、属性付ＣＡＤ図面データ、所定の規格フォーマットの属性付ＣＡＤ図面データ、解析図面データを必要に応じて確認できる。
【００４６】
このように、電力系統データ変換装置１５の機能を電力系統解析装置４０に組み込んだ場合には、ＣＡＤ図面を基に容易に電力系統解析データを作成することができ、さらに電力系統を容易に解析できる。これにより、電力系統解析データ作成の効率化を図ることができ、電力系統データ作成の際の人為ミスを削減でき、ＣＡＤシステムのデータとの共有化が図れる。
【図面の簡単な説明】
【００４７】
【図１】本発明の実施の形態に係わる電力系統データ変換装置の一例を示すブロック構成図。
【図２】本発明の実施の形態に係わる電力系統データ変換装置に読み込まれるＣＡＤ図面データの一例を示す説明図。
【図３】本発明の実施の形態に係わる電力系統データ変換装置での属性付ＣＡＤ図面の一例を示す説明図。
【図４】本発明の実施の形態に係わる電力系統解析装置の一例を示すブロック構成図。
【図５】本発明の実施の形態に係わる電力系統解析装置の解析図面作成手段で作成された解析図面データの一例を示す説明図。
【図６】本発明の実施の形態に係わる電力系統解析装置の他の一例を示すブロック構成図。
【図７】従来の電力系統解析データの作成についての説明図。
【符号の説明】
【００４８】
１１…ＣＡＤシステム、１２…設計図、１３…電力系統解析データ、１４…電力系統解析装置、１５…電力系統データ変換装置、１６…演算制御装置、１７…記憶装置、１８…出力装置、１９…表示装置、２０…印刷装置、２１…データ書込装置、２２…通信装置、２３…入力装置、２４…キーボード、２５…データ読込装置、２６…通信装置、２７…入力処理手段、２８…ＣＡＤ図面データ記憶部、３０…接続線、３１…断路器、３２…計器用変成器、３３…母線、３４…遮断器、３５…属性付ＣＡＤ図面データ作成手段、３６…属性付ＣＡＤ図面データ記憶部、３７…規格フォーマット作成手段、３８…変換データ記憶部、３９…出力処理手段、４０…電力系統解析装置、４１…入力処理手段、４２…入力データ記憶部、４３…解析図面作成手段、４４…解析図面データ記憶部、４５…解析手段、４６…解析結果記憶部、４７…出力処理手段
【図１】
2009213237.tif 000003
【図２】
2009213237.tif 000004
【図３】
2009213237.tif 000005
【図４】
2009213237.tif 000006
【図５】
2009213237.tif 000007
【図６】
2009213237.tif 000008
【図７】
2009213237.tif 000009